(57)【特許請求の範囲】
【請求項１】
被測定電流が流れる電流線が挿通されて前記電流線の周囲を囲む筒状部と、この筒状部を囲んで前記被測定電流の流れに応じた磁気を生じさせる磁気コアを収容する磁気コア収容部と、電圧線が挿通される挿通孔と、前記磁気コア収容部に通じる第１間隙部および前記挿通孔に通じる第２間隙部が形成され、前記磁気コア収容部に収容される前記磁気コアに前記第１間隙部を介して接触すると共に前記挿通孔に挿通される前記電圧線に前記第２間隙部を介して接触する接続導体を収容する接続導体収容部とを備えて構成される電力配電機器の磁気コア保持具。
【請求項２】
前記磁気コアは、両端部が前記被測定電流が流れる方向と平行な方向に離間し、前記被測定電流が流れる方向と平行な方向に前記磁気を生じさせるエアギャップが前記両端部間に形成され、
前記磁気コア保持具は、前記磁気を検出する磁気センサが実装された印刷配線基板の一端部が挿入されて前記磁気センサを前記エアギャップ中に位置させる、前記エアギャップを挟む位置に前記エアギャップに連通して設けられた切り欠き部を備えることを特徴とする請求項１に記載の電力配電機器の磁気コア保持具。
【請求項３】
前記接続導体は、弾性を有して端部が遊動する曲げ部が形成され、この曲げ部が前記第２間隙部を介し所定の接触圧をもって前記電圧線に接触することを特徴とする請求項１または請求項２に記載の電力配電機器の磁気コア保持具。
【発明の詳細な説明】
【技術分野】
【０００１】
本発明は、電流線に流れる被測定電流を検出する磁気コアを保持する電力配電機器の磁気コア保持具に関するものである。
【背景技術】
【０００２】
従来、電流を計測するための手段として、磁性材料で作られた磁気コアが用いられている。磁気コアは、被測定電流が流れる導体の周囲に置かれ、磁気コアの両端部間に形成されたエアギャップにホール素子やコイルなどの磁気センサが配置される。磁気センサには磁気コアから被測定電流に応じた磁気が安定して供給され、この磁気が磁気センサによって検出されることで、導体に流れる被測定電流が測定される。
【０００３】
磁気センサはセンサ配線の合理性により印刷配線基板に実装されることが多く、磁気の検出方向は基板実装面に垂直な場合と水平な場合とがある。基板実装面に水平な方向の磁気を検出する場合、例えば、図１に示すように、電流線が挿通される開口部１ａが形成された印刷配線基板１に、磁気コア２およびリード型部品形状をした磁気センサ３が実装される。同図（ａ）は印刷配線基板１にこれら部品が実装された状態の平面図、同図（ｂ）は正面図、同図（ｃ）は磁気コア２を破断した側面図である。リード型磁気センサ３は、磁気検出中心３ａが印刷配線基板１の基板面から比較的高い位置に存在する。このため、磁気コア２の両端部間に形成されるエアギャップ２ａの中心にリード型磁気センサ３の磁気検出中心３ａが位置するように、磁気コア２の実装高さがリードピン４によって高い位置に設定される。
【０００４】
このように磁気センサ３の基板実装面に平行な方向の磁気を検出する場合、例えば、電力配電機器の一種である電子式電力量計においては、電流検出部の構成が図２（ａ）の一部破断側面図、電圧検出部の構成が同図（ｂ）の一部破断側面図に示される。
【０００５】
電子式電力量計は、計測した電流と電圧を電子回路で乗算することで使用電力量を演算するが、この電子回路が形成された主印刷配線基板５は、内部構造支持体６に支持されて、図の下側の計器底面から離れて計器底面に平行に位置する。この主印刷配線基板５には、電子回路によって演算された使用電力量を表示する液晶表示装置７が、図の上側の計器前面付近に実装されている。また、主印刷配線基板５の下方には、供給電力を遮断・投入する開閉器８が内部構造支持体６に支持されて、設けられている。開閉器８には被測定電流が流れる電流線９が同図（ａ）に示すように引き込まれている。
【０００６】
上記のように、計器前面付近に液晶表示装置７、計器底面付近に電流線９が位置するため、主印刷配線基板５と電流線９との間には物理的な距離がある。このため、電流線９を流れる電流を検出するための磁気センサ３等は、主印刷配線基板５に実装するのが困難である。このため、磁気センサ３等を実装する副印刷配線基板１が主印刷配線基板５から分離されて設けられ、副印刷配線基板１と主印刷配線基板５とはリード線１１やコネクタ１２を介して接続される。磁気コア２は電流線９を囲んで配置され、上述のようにエアギャップ２ａに磁気センサ３が位置される。また、同図（ｂ）に示す電圧線１３からは電力演算等のための電圧がとられるが、この電圧も、リード線１４の一端を電圧線１３にねじ端子やソケット端子で接続し、他端をコネクタ１５で主印刷配線基板５に接続することで、計測される。
【０００７】
一方、基板実装面に垂直な方向の磁気を検出する場合には、図３に示すように、印刷配線基板２１にチップ型部品形状をした磁気センサ２２が実装され、磁気センサ２２の実装部分の印刷配線基板２１が、磁気コア２３のエアギャップ２３ａ中に配置される。同図（ａ）は、磁気コア２３のエアギャップ２３ａに印刷配線基板２１の磁気センサ２２実装部分が挟まれた状態の平面図、同図（ｂ）は正面図、同図（ｃ）は側面図である。この場合、磁気コア２３を印刷配線基板２１に実装するメリットは小さく、磁気センサ２２が実装された印刷配線基板２１と磁気コア２３とは、同図に示すように分離して機器に固定される。磁気コア２３には、被測定電流が流れる図示しない電流線が挿通される。
【０００８】
磁気センサ３，２２等で特に微小な電流値を計測する場合には、磁気コア２，２３が浮遊導体となり、磁気コア２，２３に挿通される電流線とは別相の電圧の影響を受けて安定した電流計測ができず、磁気コア２，２３をアースに接続しなくてはならない場合がある。このような場合、図１に示すように、リードピン４が付いた磁気コア２を印刷配線基板１に実装する構造では、リードピン４および印刷配線基板１に形成される配線パターンを介して、磁気コア２をアースに接続するのは比較的容易である。しかし、図３に示すように、磁気コア２３を印刷配線基板２１に実装しない構造では、別構成のアース接続構造が必要になる。
【０００９】
このため、従来、特許文献１に、板ばねクリップ形状をした弾性導体を印刷配線基板に実装し、磁気コアのギャップに臨む端面にこの弾性導体を当接させて、磁気コアと印刷配線基板上のアースパターンとを導通させる構造が提案されている。また、特許文献２には、磁気コアと印刷配線基板上のアースパターンとを導電性接着剤で接続して、これらの間を導通させる構造が提案されている。また、磁気コアにリード線の一端をハンダ付けして、リード線の他端を接地相の電圧線に接続する構造も考えられる
【先行技術文献】
【特許文献】
【００１０】
【特許文献１】特開２０１１−１６９８４３号公報
【特許文献２】特開平９−１２７１５９号公報
【発明の概要】
【発明が解決しようとする課題】
【００１１】
しかしながら、特許文献１に開示された弾性導体を用いたアース接続構造は、磁気コアのギャップにおける、印刷配線基板に実装された磁気センサと磁気コアとの間の寸法が、弾性導体の弾性力によって変化する可能性があり、好ましくない。また、特許文献２に開示された導電性接着剤を用いたアース接続構造は、印刷配線基板上のアースパターンと磁気コアとの間の狭い空間に接着剤を適量に制御して塗布することとなり、不要箇所へ接着剤が付着する可能性があり、好ましくない。また、接着剤の硬化時間も必要になるので、製造工程におけるリードタイムも長くなる。また、リード線を用いたアース接続構造は、各箇所に接続するための工数が増え、製造原価が上がるので、好ましくない。
【課題を解決するための手段】
【００１２】
本発明はこのような課題を解決するためになされたもので、被測定電流が流れる電流線が挿通されて電流線の周囲を囲む筒状部と、この筒状部を囲んで被測定電流の流れに応じた磁気を生じさせる磁気コアを収容する磁気コア収容部と、電圧線が挿通される挿通孔と、磁気コア収容部に通じる第１間隙部および挿通孔に通じる第２間隙部が形成され、磁気コア収容部に収容される磁気コアに第１間隙部を介して接触すると共に挿通孔に挿通される電圧線に第２間隙部を介して接触する接続導体を収容する接続導体収容部とを備えて、電力配電機器の磁気コア保持具を構成した。
【００１３】
本構成によれば、被測定電流が流れる電流線が筒状部に挿通され、磁気コアが磁気コア収容部に収容されることで、磁気コアは、筒状部に隔てられて電流線と絶縁分離されながら、電流線を囲んで磁気コア保持具に保持される。さらに、接続導体収容部に接続導体が収容され、電流線とは別相の電圧線が挿通孔に挿通されることで、接続導体が第１間隙部を介して磁気コアに接触すると共に第２間隙部を介して電圧線に接触し、磁気コアは接続導体を介して電圧線に電気的に接続されて、電圧線と導通する。また、電流線および電圧線は互いに絶縁分離されて、磁気コア保持具に保持される。
【００１４】
したがって、電圧線を接地相のものとすれば、磁気コアは接続導体を介して接地されることになる。このため、従来のようにリード線を用いることなく、単に、磁気コアを磁気コア収容部、接続導体を接続導体収容部に収容させ、電圧線を挿通孔に挿通させるだけで、磁気コアをアースに接続することが可能になる。よって、接続工数を増やすことなく、磁気コアをアースに安価に接続することができる。
【００１５】
また、本発明は、
磁気コアの両端部が被測定電流が流れる方向と平行な方向に離間し、被測定電流が流れる方向と平行な方向に磁気を生じさせるエアギャップが両端部間に形成され、
磁気を検出する磁気センサが実装された印刷配線基板の一端部が挿入されて磁気センサをエアギャップ中に位置させる、エアギャップを挟む位置にエアギャップに連通して設けられた切り欠き部を磁気コア保持具に備えることを特徴とする。
【００１６】
本構成によれば、磁気コア保持具の切り欠き部に印刷配線基板の一端部が挿入されることで、印刷配線基板に実装された磁気センサは、磁気コアの両端部間に形成されるエアギャップ中に位置させられて固定される。したがって、印刷配線基板に実装された磁気センサと磁気コアとは、それらの間の相対位置が磁気コア保持具によって不変に保持される。このため、弾性導体を介して磁気コアを接地する従来の構造のように、磁気センサと磁気コアとの間の寸法が変化するおそれは全くなく、被測定電流に応じた磁気を磁気センサによって安定に検出して、被測定電流を正確に計測することが可能となる。また、アースパターンと磁気コアとの間の狭い空間に接着剤を塗布する従来の構造のように、不要箇所へ接着剤が付着する懸念はなく、また、接着剤の硬化時間によって製造工程におけるリードタイムが長くなることもない。この結果、電力配電機器の機器性能に悪影響を与えることなく、また、リードタイムが長くなることもなく、電力配電機器に組み込まれる磁気コアを容易にアースに接続することが可能になる。
【００１７】
また、本発明は、弾性を有して端部が遊動する曲げ部が接続導体に形成され、この曲げ部が第２間隙部を介し所定の接触圧をもって電圧線に接触することを特徴とする。
【００１８】
本構成によれば、接続導体が曲げ部によって電圧線に所定の接触圧をもって接触するので、接続導体は電圧線に安定して接続され、磁気コアの接地状態は安定に維持される。
【発明の効果】
【００１９】
本発明によれば、磁気コアを磁気コア収容部、接続導体を接続導体収容部に収容させ、電圧線を挿通孔に挿通させるだけで、磁気コアをアースに接続することが可能になり、接続工数を増やすことなく、磁気コアをアースに安価に接続することができる。また、電力配電機器の機器性能に悪影響を与えることなく、また、リードタイムが長くなることもなく、電力配電機器に組み込まれる磁気コアを容易にアースに接続することが可能になる。
【図面の簡単な説明】
【００２０】
【図１】（ａ）は、印刷配線基板の基板実装面に水平な方向の磁気を検出して被測定電流を計測する一般的な電流検出構造の平面図、（ｂ）は正面図、（ｃ）は一部破断側面図である。
【図２】（ａ）は、図１に示す電流検出構造を備えた電子式電力量計の一部破断側面図、（ｂ）は同電子式電力量計の電圧検出構造を示す一部破断側面図である。
【図３】（ａ）は、印刷配線基板の基板実装面に垂直な方向の磁気を検出して被測定電流を計測する一般的な電流検出構造の平面図、（ｂ）は正面図、（ｃ）は側面図である。
【図４】本発明の一実施の形態による電力配電機器の磁気コア保持具を用いて構成される電流検出部の分解斜視図である。
【図５】（ａ）は、一実施の形態による磁気コア保持具に磁気コアおよび接続導体が収容された磁気コア組立品の一部破断平面図、（ｂ）は正面図、（ｃ）は接続導体収容部の縦断面図、（ｄ）は（ｃ）に示す接続導体部分の一部拡大図である。
【図６】図５に示す磁気コア組立品が組み込まれた電子式電力量計に内蔵される開閉器部分の外観斜視図である。
【図７】（ａ）は、図５に示す磁気コア組立品を構成する磁気コア保持具の挿通孔に電圧線が挿入された状態の平面図、（ｂ）は正面図、（ｃ）は縦断面図である。
【図８】（ａ）は、図５に示す磁気コア組立品が組み込まれた電流検出部の構成を示す電子式電力量計の一部破断側面図、（ｂ）は同電子式電力量計の電圧検出部の構成を示す一部破断側面図である。
【発明を実施するための形態】
【００２１】
次に、本発明による電力配電機器の磁気コア保持具を電子式電力量計の磁気コア保持具に適用した、本発明を実施するための形態について説明する。
【００２２】
図４は、本発明の一実施の形態による磁気コア保持具３１を用いて構成される単相３線式電子式電力量計の電流検出部の分解斜視図である。
【００２３】
電子式電力量計の電流検出部は、磁気コア保持具３１、この磁気コア保持具３１に収容される一対の電流検出用磁気コア３２，３２および接続導体３３、印刷配線基板３４に実装された一対の磁気センサ３５，３５、および印刷配線基板３４を保持する後述する印刷配線基板保持機構を備えて、構成される。この電流検出部においては、各電流線３６，３６を流れる被測定電流が各磁気コア３２，３２によってその大きさに応じた磁気に変換され、磁気センサ３５，３５によって検出される。磁気センサ３５，３５によって検出される磁気は、印刷配線基板３４に形成される電子回路によって電流線３６，３６を流れる電流に比例した値に変換され、電子式電力量計の電源端子から印刷配線基板３４に入力される電圧に比例した値に乗算されることで、電力量が演算される。印刷配線基板３４には液晶表示器３７が実装されており、液晶表示器３７には演算される電力量が表示される。
【００２４】
磁気コア保持具３１は、電気絶縁性を有する樹脂が成型されて形成されており、筒状部３１ａ，３１ａ、磁気コア収容部３１ｂ，３１ｂ、挿通孔３１ｃおよび接続導体収容部３１ｄを備える。筒状部３１ａ，３１ａには被測定電流が流れる電流線３６，３６が挿通され、筒状部３１ａ，３１ａは電流線３６，３６の周囲を囲む。挿通孔３１ｃには後述する電圧線３９（図６参照）が挿通される。また、磁気コア収容部３１ｂ，３１ｂには磁気コア３２，３２、接続導体収容部３１ｄには接続導体３３が収容される。
【００２５】
磁気コア３２，３２は、磁気コア収容部３１ｂ，３１ｂを形成する垂直面３１b1および水平面３１b2に接着材で固定されて、磁気コア収容部３１ｂ，３１ｂに収容され、筒状部３１ａ，３１ａを囲んで被測定電流の流れに応じた磁気を生じさせる。これら磁気コア３２，３２は、両端部３２ａ，３２ａが、被測定電流が流れる方向Ａを横切る方向Ｂに所定長延在して、被測定電流が流れる方向Ａと平行な水平方向Ｃに離間して相互に対向することで、エアギャップ３２ｂを形成する。電流線３６，３６に被測定電流が流れると、磁気コア３２，３２は、両端部３２ａ，３２ａ間に形成されるエアギャップ３２ｂに、被測定電流の流れに応じた磁気を水平方向Ｃに生じさせる。
【００２６】
本実施の形態では、磁気コア３２，３２は、Ｌの字状に打ち抜きプレス加工された複数枚の軟磁性板等の金属製板状部品が積層されて、形成されている。しかし、このような形状をした磁気コア３２，３２は、１枚の金属製板状部品が折り曲げプレス加工されても、または、粉末焼結材料が焼成加工されても、または、粉末固形材料が圧粉加工されても、または、金属粉末が射出成型加工されても、同様に形成される。
【００２７】
また、磁気コア保持具３１には、各エアギャップ３２ｂに連通して各エアギャップ３２ｂを挟む位置に、溝状の切り欠き部３１ｅが合計で４箇所に設けられている。各切り欠き部３１ｅには印刷配線基板３４の下端部３４ａが挿入され、各切り欠き部３１ｅは印刷配線基板３４の下端部３４ａを保持する。また、磁気コア保持具３１を支持する後述の計器支持体４４（図８参照）には、印刷配線基板１の両側端部３４ｂ，３４ｂが挿入される溝、およびこの溝に挿入された印刷配線基板３４を固定するラッチ部が設けられている。ラッチ部は、解除されない限り、印刷配線基板３４を溝から抜けさせない構造になっている。磁気コア保持具３１に設けられた各切り欠き部３１ｅ、並びに計器支持体４４に設けられた上記の溝およびラッチ部は、磁気センサ３５，３５がエアギャップ３２ｂ，３２ｂ中に位置した状態に印刷配線基板３４を保持する印刷配線基板保持機構を構成する。この印刷配線基板保持機構は、エアギャップ３２ｂ，３２ｂの中心位置と磁気センサ３５，３５の検出中心が合致する位置関係に、印刷配線基板３４を保持する。
【００２８】
図５（ａ）は、磁気コア保持具３１に磁気コア３２，３２および接続導体３３が収容された磁気コア組立品４１の一部破断平面図、同図（ｂ）は正面図、同図（ｃ）は接続導体収容部３１ｄの縦断面図、同図（ｄ）は同図（ｃ）に示す接続導体３３部分の一部拡大図である。なお、同図において図４と同一部分には同一符号を付してその説明は省略する。
【００２９】
接続導体収容部３１ｄには、磁気コア収容部３１ｂ，３１ｂに通じるスリット状の第１間隙部３１d1，３１d、および挿通孔３１ｃに通じる第２間隙部３１d2が形成されている。また、接続導体収容部３１ｄの奥の磁気コア保持具３１にはツメ３１ｆが形成されている。接続導体３３は、弾性を有する銅合金の薄板材から構成され、プレス加工により、円弧状をした曲げ部３３ａが薄板材の中央部に上面側に突出して形成され、端部３３ｂ，３３ｂが薄板材の両側部に突出して形成されている。曲げ部３３ａは、片持ちの曲がり梁形状となっており、弾性を有して片端部が遊動する。また、接続導体３３の曲げ部３３ａが抜かれた部分には枠部３３ｃが形成されている。
【００３０】
接続導体３３は、各端部３３ｂ，３３ｂが磁気コア保持具３１の各第１間隙部３１d1，３１dに差し込まれ、接続導体収容部３１ｄの奥に押し込まれることで、枠部３３ｃの先端がツメ３１ｆに接触して撓み、ツメ３１ｆを乗り越えて同図（ｃ）および（ｄ）に示すようにツメ３１ｆに嵌合する。接続導体３３の幅寸法は、同図（ｂ）に示す２つの磁気コア３２，３２間の距離Ｌより大きく設定されている。したがって、接続導体３３は、上記のようにして接続導体収容部３１ｄに収容される過程で、端部３３ｂ，３３ｂが第１間隙部３１d1，３１dを介して磁気コア収容部３１ｂ，３１ｂに突出し、磁気コア収容部３１ｂ，３１ｂに収容される磁気コア３２，３２の各側部に形成された溝３２ｃ，３２ｃに干渉する。しかし、接続導体３３は、その弾性により、設定された撓み量で幅方向に撓み、設定された応力を保持して接続導体収容部３１ｄに組み込まれ、各端部３３ｂ，３３ｂが各磁気コア３２，３２と電気的に接触して、磁気コア３２，３２と同電位になる。また、この際、接続導体３３は、曲げ部３３ａの円弧状部が、同図（ｃ）および（ｄ）に示すように第２間隙部３１d2を介して挿通孔３１ｃに突出する。
【００３１】
図６は、後述するように電子式電力量計４３（図８参照）に内蔵される開閉器４２に、上記の磁気コア組立品４１が組み込まれた状態の外観斜視図である。なお、同図において図４および図５と同一部分には同一符号を付してその説明は省略する。
【００３２】
開閉器４２は、単相３線式電子式電力量計の負荷端子１Ｌ，３Ｌに接続される電流線３６，３６と、電源端子１Ｓ，３Ｓに接続される電流線３８，３８との間の接続を開閉し、負荷端子１Ｌ，２Ｌ，３Ｌに接続される負荷への電力供給を断続する。電圧線３９は負荷端子２Ｌに接続されるもので、単相３線の接地相である中性線に接続される。この中性線は、電力量計とは別途に設けられる図示しない端子ブロックで、電源端子２Ｓと短絡されている。電流線３６，３６、３８，３８には負荷に供給される電流が流れ、この電流は電流線３６，３６が挿通されている磁気コア３２，３２によって検出される。また、中性線の電圧は電圧線３９の立設部３９ａから検出され、単相３線の電圧線の電圧は、電流線３８，３８の突出部３８ａ，３８ａから検出される。
【００３３】
電圧線３９は、負荷端子２Ｌに接続される側と反対側に、立設部３９ａが垂直に曲げられて形成されている。この立設部３９ａは、磁気コア保持具３１の挿通孔３１ｃに挿入され、そのギャップに印刷配線基板３４の下端部３４ａが挿入されて、印刷配線基板３４に形成された中性線電圧検出用配線パターンと接触する。
【００３４】
図７（ａ）は、立設部３９ａが磁気コア保持具３１の挿通孔３１ｃに挿入された状態の平面図、同図（ｂ）は正面図、同図（ｃ）は縦断面図である。なお、同図において図４〜図６と同一部分には同一符号を付してその説明は省略する。
【００３５】
上述のように、挿通孔３１ｃには接続導体３３の曲げ部３３ａが第２間隙部３１d2を介して突出しているため、立設部３９ａが磁気コア保持具３１の挿通孔３１ｃに挿入されると、同図（ｃ）に示すように、立設部３９ａの下面は挿通孔３１ｃに突出する曲げ部３３ａの円弧状部を押し下げる。この際、片持ちの曲がり梁形状となっている曲げ部３３ａは、設定された量で上下方向に撓み、設定された応力を保持する。このため、接続導体３３は第２間隙部３１d2を介し所定の接触圧をもって電圧線３９に接触し、電圧線３９と同電位になる。
【００３６】
図８（ａ）は、図５に示す磁気コア組立品４１が組み込まれた電流検出部の構成を示す電子式電力量計４３の一部破断側面図、同図（ｂ）は電子式電力量計４３の電圧検出部の構成を示す一部破断側面図である。なお、同図において図４〜図６と同一部分には同一符号を付してその説明は省略する。
【００３７】
使用電力量を演算する電子回路が形成された印刷配線基板３４は、計器支持体４４に前述のように設けられた溝およびラッチ部に支持されて、計器底面に垂直に設置されている。印刷配線基板３４に実装された液晶表示装置３７は、その表示面を計器前面の窓４３ａに臨まして配置されている。計器支持体４４の下方には、供給電力を遮断・投入する図６に示す開閉器４２が設けられている。開閉器４２には被測定電流が流れる電流線３６が同図（ａ）に示すように引き込まれ、磁気コア３２に囲まれている。印刷配線基板３４に実装された磁気センサ３５は、磁気コア３２の両端部間に形成されるエアギャップ３２ｂに位置させられている。
【００３８】
同図（ｂ）に示す電流線３８からは電力演算等のために電圧線電圧がとられるが、この電圧は、電流線３８の垂直曲げ部に突出して形成された突出部３８ａのギャップに印刷配線基板３４の下端部３４ａが挿入されて、印刷配線基板３４に形成された電圧線電圧検出用配線パターンと接触することで、計測される。
【００３９】
このような本実施の形態による電子式電力量計４３の磁気コア保持具３１によれば、被測定電流が流れる電流線３６，３６が筒状部３１ａ，３１ａに挿通され、磁気コア３２，３２が磁気コア収容部３１ｂ，３１ｂに収容される。磁気コア３２，３２は、このように磁気コア収容部３１ｂ，３１ｂに収容されることで、筒状部３１ａ，３１ａに隔てられて電流線３６，３６と絶縁分離されながら、電流線３６，３６を囲んで磁気コア保持具３１に保持される。さらに、接続導体収容部３１ｄには接続導体３３が図５に示すように収容され、電流線３６，３６とは別相の電圧線３９の立設部３９ａが挿通孔３１ｃに図７に示すように挿通される。接続導体３３は、このように接続導体収容部３１ｄに収容されることで、第１間隙部３１d1，３１d1を介して磁気コア３２，３２に接触すると共に、第２間隙部３１d2を介して電圧線３９に接触する。したがって、磁気コア３２，３２は接続導体３３を介して電圧線３９に電気的に接続されて、電圧線３９と導通する。また、電流線３６，３６および電圧線３９は互いに絶縁分離されて、磁気コア保持具３１に保持される。
【００４０】
したがって、電圧線３９を本実施形態のように接地相のものとすれば、磁気コア３２，３２は接続導体３３を介して接地されることになる。このため、従来のようにリード線を用いることなく、単に、磁気コア３２，３２を磁気コア収容部３１ｂ，３１ｂ、接続導体３３を接続導体収容部３１ｄに収容させ、電圧線３９を挿通孔３１ｃに挿通させるだけで、磁気コア３２，３２をアースに接続することが可能になる。よって、接続工数を増やすことなく、磁気コア３２，３２をアースに安価に接続することができる。
【００４１】
また、本実施の形態による電子式電力量計４３の磁気コア保持具３１によれば、磁気コア保持具３１の切り欠き部３１ｅに印刷配線基板３４の下端部３４ａが挿入されることで、印刷配線基板３４に実装された磁気センサ３５，３５は、図８（ａ）に示すように、磁気コア３２，３２の両端部３２ａ間に形成されるエアギャップ３２ｂ中に位置させられて固定される。したがって、印刷配線基板３４に実装された磁気センサ３５，３５と磁気コア３２，３２とは、それらの間の相対位置が磁気コア保持具３１によって不変に保持される。
【００４２】
このため、板ばねクリップ形状をした弾性導体を介して磁気コアを接地する、特許文献１に開示された従来のアース接続構造のように、磁気センサと磁気コアとの間の寸法が変化するおそれは全くなく、被測定電流に応じた磁気を磁気センサ３５，３５によって安定に検出して、電流線３６，３６に流れる被測定電流を正確に計測することが可能となる。また、アースパターンと磁気コアとの間の狭い空間に接着剤を塗布する、特許文献２に開示された従来のアース接続構造のように、不要箇所へ接着剤が付着する懸念はなく、また、接着剤の硬化時間によって製造工程におけるリードタイムが長くなることもない。この結果、電子式電力量計４３の機器性能に悪影響を与えることなく、また、リードタイムが長くなることもなく、電子式電力量計４３に組み込まれる磁気コア３２，３２を容易にアースに接続することが可能になる。
【００４３】
また、本実施の形態による電子式電力量計４３の磁気コア保持具３１によれば、接続導体３３が図７（ｃ）に示すようにその曲げ部３３ａによって電圧線３９に所定の接触圧をもって接触する。このため、接続導体３３は電圧線３９に安定して接続され、磁気コア３２，３２の接地状態は安定に維持される。
【００４４】
また、本実施の形態のように、磁気センサ３５，３５の基板実装面に垂直な方向の磁気を検出する電子式電力量計４３は、磁気センサ３の基板実装面に平行な方向の磁気を検出する図２に示す従来の電子式電力量計に比べ、リード線１１，１４やコネクタ１２，１５の材料費、および、それら部品の組み立てに伴う工数が発生しないため、安価に製造することができる。
【産業上の利用可能性】
【００４５】
上記の実施形態では、本発明による磁気コア保持具を電子式電力量計に適用した場合について、説明した。しかし、本発明による磁気コア保持具は、電子式電力量計への適用に限定されるものではなく、磁気コアを使って電流を計測する他の種々の配電機器にも同様に適用することができ、同様な作用効果が得られる。
【符号の説明】
【００４６】
３１…磁気コア保持具
３１ａ…磁気コア保持具３１の筒状部
３１ｂ…磁気コア保持具３１の磁気コア収容部
３１ｃ…磁気コア保持具３１の挿通孔
３１ｄ…磁気コア保持具３１の接続導体収容部
３１ｅ…磁気コア保持具３１の切り欠き部
３１ｆ…磁気コア保持具３１のツメ
３２…磁気コア
３２ａ…磁気コア３２の端部
３２ｂ…磁気コア３２のエアギャップ
３２ｃ…磁気コア３２の溝
３３…接続導体
３３ａ…接続導体３３の曲げ部
３３ｂ…接続導体３３の端部
３３ｃ…接続導体３３の枠部
３４…印刷配線基板
３４ａ…印刷配線基板３４の下端部
３４ｂ…印刷配線基板３４の側端部
３５…磁気センサ
３６、３８…電流線
３７…液晶表示器
３９…電圧線
３９ａ…電圧線３９の立設部
４１…磁気コア組立品
４２…開閉器
４３…電子式電力量計
４３ａ…電子式電力量計４３の窓
４４…計器支持体
【図１】
0006338944.tif 000002
【図２】
0006338944.tif 000003
【図３】
0006338944.tif 000004
【図４】
0006338944.tif 000005
【図５】
0006338944.tif 000006
【図６】
0006338944.tif 000007
【図７】
0006338944.tif 000008
【図８】
0006338944.tif 000009